(57)【要約】【課題】  複数のシートを使用してもシート間に間隙が発生せず、しかもシート間の角度も自由に変えることのでき、さらに、シートを均一に巻取ることができるロールスクリーン装置を提供する。【解決手段】  巻取ケース１に両端が回転自在に軸支されたローラ２と、前記ローラ２に基端側が固着されて巻回されたスクリーン３と、前記ローラを回転駆動してローラにスクリーンを巻取らせる巻取手段６と、前記スクリーンを連結するジョイントピース７と、が備えられ、前記スクリーン３と前記ジョイントピース７の側部には両者を連結するファスナー部４,８が設けられる構成とした。【選択図】      図１
2006296627.tif 000002
【特許請求の範囲】
【請求項１】
巻取ケースに両端が回転自在に軸支されたローラと、
前記ローラに基端側が固着されて巻回されたスクリーンと、
前記ローラを回転駆動してローラにスクリーンを巻取らせる巻取手段と、前記スクリーンを連結するジョイントピースと、
が備えられ、前記スクリーンと前記ジョイントピースの側部にはファスナー部が設けられ、前記スクリーンと前記ジョイントピースが前記ファスナー部により連結されることを特徴とするロールスクリーン装置。
【請求項２】
巻取ケースに両端が回転自在に軸支されたローラと、
前記ローラに基端側が固着されて巻回されたスクリーンと、
前記ローラに基端側が固着され、前記スクリーンが水平に巻き取るためのガイドシートと、
前記ローラを回転駆動してローラにスクリーンを巻取らせる巻取手段と、前記スクリーンを連結するジョイントピースと、
が備えられ、前記スクリーンと前記ジョイントピースの側部には連結用のファスナー部が設けられていることを特徴とするロールスクリーン装置。
【請求項３】
巻取ケースに両端が回転自在に軸支されたローラと、
前記ローラに基端側が固着されて巻回され側部にファスナー部が設けられたスクリーンと、
前記スクリーンを連結するために側部にファスナー部が設けられたジョイントピースと、
前記ローラに基端側が固着され前記スクリーンと共にローラに巻回されるガイドシートと、
前記ローラを回転駆動してローラにスクリーンを巻取らせる巻取手段と、が備えられ、前記ガイドシートは、前記ローラに前記スクリーンのファスナー部を除いた位置に取り付けられ、前記スクリーンの端部ファスナー部の厚み部を補正し、スクリーンを常に水平に巻き取ることを特徴とするロールスクリー装置。
【請求項４】
巻取ケースに回転自在に軸支されたローラと、
前記ローラに基端側が固着されて巻回され側部にファスナー部が設けられたスクリーンと、
前記スクリーンを連結するために側部または中央部分を分離可能にするためにファスナー部が設けられたジョイントピースと、
前記ローラに基端側が固着され前記スクリーンと共にローラに巻回されるガイドシートと、
前記ローラを回転駆動してローラにスクリーンを巻取らせる巻取手段と、が備えられ、前記ガイドシートの長さは前記フレームの内部に収納される長さに形成され、前記ガイドシートの幅は前記ローラに取り付けられるスクリーンのファスナー部を除いた幅に形成されていることを特徴とするロールスクリーン装置。
【請求項５】
巻取ケースに回転自在に軸支されたローラと、
前記ローラに基端側が固着されて巻回され側部にファスナー部が設けられたスクリーンと、
前記スクリーンを連結するために側部にファスナー部が設けられたジョイントピースと、
前記ローラに基端側が固着され前記スクリーンと共にローラに巻回されるガイドシートと、
前記ローラを回転駆動してローラにスクリーンを巻取らせる巻取手段と、が備えられ、前記ガイドシートは高さが高くとも前記スクリーンを水平に平行に巻き取るために板厚を２．５
〜３．５ ｍｍに形成され、前記ガイドシートの長さは前記フレームの内部に収納される長さに形成され、前記ガイドシートの幅は前記ローラに取り付けられるスクリーンのファスナー部を除いた幅に形成されていることを特徴とするロールスクリーン装置。
【請求項６】
両側縁にファスナー部を有するジョイントピースを隣接するスクリーン間に配置し複数のスクリーンを連結し、このジョイントピースによって平面から直角までの連結角度を調整することができ、かつ、スクリーンを内装したローラを複数台連結することができることを特徴とする請求項１乃至請求項５に記載のいずれか１つのロールスクリーン装置。
【請求項７】
前記ガイドシートがスクリーンを巻回する前記ローラ表面に被覆周回して固着してあることを特徴とする請求項３乃至請求項６に記載のいずれか１つのロールスクリーン装置。
【発明の詳細な説明】
【技術分野】
【０００１】
本発明は、巻取軸（ロール）に巻き取られるスクリーンを昇降させるロールスクリーン装置に係り、特に複数のスクリーンをジョイントピースを介在して結合して使用するロールスクリーン装置に関する。
【背景技術】
【０００２】
一般にロールスクリーン装置は、巻取り機構として、フレームにローラを回転自在に軸支するとともに、このローラにスクリーンの基端部を連結し、このローラをばねなどの巻取り手段によりローラにスクリーンを巻取らせるようにしている。この種のローラスクリーンは窓を覆う日除けカーテンなどとして利用され、ローラを窓枠の上方に配置してスクリーンを巻取らせることにより窓の覆いを開放し、巻取り手段のばねに抗してスクリーンの先端部をローラから引き出すことにより窓を覆うことができるようになっている。
【０００３】
上述した従来のロールスクリーン装置においては、ローラにスクリーンを巻回している関係上、ローラの軸支部分はスクリーンの幅より外側部分となるので、スクリーンの幅は巻取軸であるローラの幅によって制限されていた。その結果、大きな幅の窓にロールスクリーン装置を取り付ける場合には、複数台のローラを取り付ける必要があり、隣接するスクリーン間に間隙が発生し、窓を完全に覆うことができないという問題があった。特に、矩形の部屋の内部全体に設置する場合や立体の周囲全体を覆う場合及びクリーンブースを形成する場合には、どうしても四隅の部分に間隙が発生してしまうという問題があった。  
【０００４】
そこで、この課題を解決するものとして、特開平５−１６１５３５号公報に示すようなロールカーテン装置が知られている。このロールカーテン装置は、フレームにそれぞれ回転自在に軸支した複数のローラと、末端部が各ローラにそれぞれ連結され、かつ側部を相互に隣接させた複数のシートと、各ローラを回転駆動して各ローラにシートを巻取らせる巻取手段と、上記複数のシートの相互に隣接する側部にそれぞれ設けられ、相互に係合して各シートの側部を連結する係合部と、上記フレームに設けられて相互に隣接した係合部の通過を許容し、各シートがローラから引き出された際に上記係合部を相互に係合させ、各シートがローラに巻取られた際に上記係合部を分離させる係合分離手段を備えたものである。このような構成では巻取り機能を内装することができない。また、連結する隣接スクリーンの連結部角度が自由に変更できないため、巻取りが円滑に行えない欠点がある。
【０００５】
【特許文献１】特開平５−１６１５３５号公報第１頁
【発明の開示】
【発明が解決しようとする課題】
【０００６】
しかしながら、上述した特許文献１のロールカーテン装置においては、シートとシートとの連結はファスナーで行なっているが、アイデアとしてかいじされているに過ぎず、このような構造では、シートの巻取りが円滑に行われず、巻取機構の内装が困難である。また、このファスナー取り付け部分はシート部分より厚くなっている。そのため、ローラ２２に巻取った場合には、図８に示すように、ファスナー部分２４のみがシート２３より径方向に大きくなるので、巻取りのバランスが悪くなり、巻取り機構が故障する原因となっていた。
【０００７】
また、上述した特許文献１のロールカーテン装置においては、予めフレームの形状に合わせて、隣接するローラ間の角度が９０度になるように直角のブラケットに固定されるものであり、シートとシートの連結角度は９０度に固定されてしまうので角度の自由度がなくなり、連結するファスナー部にも無理な力が加わり破損する恐れもあった。
【０００８】
本発明は、上述した従来の問題に鑑みなされたもので、複数のシートを使用してもシート間に間隙が発生せず、しかもシート間の角度も自由に変えることのでき、さらに、シートを均一に巻取ることにより、巻取りのアンバランスが発生せず、巻取り機構の故障の原因を解消するロールスクリーン装置を提供するものである。
【課題を解決するための手段】
【０００９】
本発明は、上記課題を解決するため、巻取ケースに両端が回転自在に軸支されたローラと、前記ローラに基端側が固着されて巻回されたスクリーンと、前記ローラを回転駆動してローラにスクリーンを巻取らせる巻取手段と、前記スクリーンを連結するジョイントピースと、が備えられ、前記スクリーンと前記ジョイントピースの側部にはファスナー部が設けられ、前記スクリーンと前記ジョイントピースが前記ファスナー部により連結されることを特徴とするものである。
【００１０】
また、本発明は、巻取ケースに両端が回転自在に軸支されたローラと、前記ローラに基端側が固着されて巻回されたスクリーンと、前記ローラに基端側が固着され、前記スクリーンが水平に巻き取るためのガイドシートと、前記ローラを回転駆動してローラにスクリーンを巻取らせる巻取手段と、前記スクリーンを連結するジョイントピースと、が備えられ、前記スクリーンとジョイントピースの側部には連結用のファスナー部が設けられていることを特徴としている。
【００１１】
また、本発明は、巻取ケースに両端が回転自在に軸支されたローラと、前記ローラに基端側が固着されて巻回され側部にファスナー部が設けられたスクリーンと、前記カーテンシートを連結するために側部にファスナー部が設けられたジョイントピースと、前記ローラに基端側が固着され、前記スクリーンと共にローラに巻回され、前記スクリーンが水平に巻き取られるようにしたガイドシートと、前記ローラを回転駆動してローラに前記スクリーンを巻取らせる巻取手段と、が備えられ、前記ガイドシートは、前記ローラに前記スクリーンのファスナー部を除いた位置に取り付けられることを特徴としている。
【００１２】
また、本発明は、巻取ケースに回転自在に軸支されたローラと、前記ローラに基端側が固着されて巻回され、側部にファスナー部が設けられたスクリーンと、前記スクリーンを連結するために側部にファスナー部が設けられたジョイントピースと、前記ローラに基端側が固着され、前記スクリーンと共にローラに巻回され、前記スクリーンが水平に巻き取られるようにしたガイドシートと、前記ローラを回転駆動してローラに前記スクリーンを巻取らせる巻取手段と、が備えられ、前記ガイドシートの長さは前記フレームの内部に収納される長さに形成され、前記ガイドシートの幅は前記ローラに取り付けられるスクリーンのファスナー部を除いた幅に形成されていることを特徴としている。
【００１３】
さらに、本発明は、巻取ケースに回転自在に軸支されたローラと、前記ローラに基端側が固着されて巻回され側部にファスナー部が設けられたスクリーンと、前記スクリーンを連結するための側部または中央部分が分離可能なようにファスナー部が設けられたジョイントピースと、前記ローラに基端側が固着され前記スクリーンと共にローラに巻回され、前記スクリーンが水平に巻き取られるようにしたガイドシートと、前記ローラを回転駆動してローラに前記スクリーンを巻取らせる巻取手段と、が備えられ、前記ガイドシートは、高さが高くても前記スクリーンを水平に平行に巻き取るために板厚を２．５
〜３．５ｍｍに形成され、前記ガイドシートの長さは前記フレームの内部に収納される長さに形成され、前記ガイドシートの幅は前記ローラに取り付けられるスクリーンのファスナー部を除いた幅に形成されていることを特徴とするものである。
【発明の効果】
【００１４】
本発明によれば、天井から吊るした枠体に複数の巻取軸（ローラ）を設置し、このローラから繰り出した隣接するスクリーンがコーナー部のジョイントピースによって、連結されるので、確実に隣接するスクリーン同士を連結でき、ジョイントピースはスクリーンと同様な柔軟な生地なので、スクリーンとスクリーンを間隙なく連結でき、しかもこの連結角度は自在な角度で連結することができる。巻取ケース内にファスナーの分離装置などは必要としない。
【００１５】
また、本発明によれば、スクリーンのファスナー部を除いたローラ表面部分にガイドシートが取り付けられているので、巻取り状態において、ファスナー部とファスナー部を除いた部分の径がほぼ同一となるので、バランス良く巻取ることができ、ロールスクリーン装置の巻取り機構の故障の原因を解消できる。
【発明を実施するための最良の形態】
【００１６】
本発明に係るロールスクリーン装置の最良の形態を図面に基づき説明する。
図１は本発明のロールスクリーン装置をクリーンブースに適用した全体を示す斜視図、図２は図１のロールスクリーン装置の要部を示す一部破断の斜視図、図３は図１のロールスクリーン装置のスクリーン部を示す正面図、図４は図３のＡ−Ａ断面図、図５は図１のロールスクリーン装置の使用状態を示す斜視図、図６は図１のロールスクリーン装置の巻取りの初期状態を説明する正面図、図７は図１のロールスクリーン装置の巻終わりの状態を説明する正面図、図９はロールスクリーン装置の他の実施形態である。図１０は本発明に使用するジョイントピースの他の実施形態の概略図である。
【００１７】
本発明に係るロールスクリーン装置の実施の形態を簡易なクリーンブースを形成する場合について説明する。
図１、図２において、ロールスクリーン装置は、簡易なクリーンブース１２を形成する仕切り用スクリーンとして使用されるものである。このクリーンブース１２は、天井から吊るしたフレーム１０にロールスクリーン装置の巻取ケース１が取り付けられている。この巻取ケース１に収納されるスクリーン３が内装され、このスクリーン３を巻取ケース１からスクリーン３が引き出され、この側縁に設けたファスナー部４にジョイントピース７を接続するとともに他方のスクリーン３のファスナー部４に接続される。同様にして複数のスクリーン３を接続して周囲を囲むようになっている。クリーンブース１２の場合は、スクリーン３の下端部分は少し隙間が空けられている。
【００１８】
また、ロールスクリーン装置は、図３、図４に示すように、巻取ケース１に回転自在に軸支されたローラ２と、前記ローラ２に基端側が固着されて巻回されたスクリーン３と、前記スクリーン３の側部に結合手段であるファスナー部４が設けられ、前記ローラ２に基端側が固着され前記スクリーン３と共にローラ２に巻回されたガイドシート５と、前記ローラ２を回転駆動してローラ２にスクリーン３を巻取らせる巻取手段６と、が備えられ、前記ガイドシート５は、前記ローラ２に前記スクリーン３のファスナー部４を除いた部分に取り付けられている。このガイドシート５は、巻取り状態から開放された際にカールするように構成されてもよい。
【００１９】
巻取ケース１は、内部にロールスクリーン装置の巻取り機構を収納し、両端部１ａ，１ｂで図示しないベアリングによりローラ２を回転可能に軸支するものである。下方にはスクリーン３の出入口１ｃが形成されている。このフレーム１に軸受部２ａ，２ｂが回転自在に軸支されたローラ２は、金属から円筒形に形成されたシャフトであり、この表面の所定の位置にスクリーン３とガイドシート５の基端側が取り付けられるものである。
【００２０】
スクリーン３は、様々な用途に応じて様々な材質と模様が形成されたシートであり、この両端には隣接するスクリーンと結合するためのファスナー部４が設けられている。このスクリーン３を使用する場合は、図２または図５に示すように、ジョイントピース７のファスナー部４をファスナー４ａで結合して使用するものである。また、このカーテンシート３の巻取りを行なう巻取手段６は、図３に示すように、ローラ２の端部に取り付けられており、内部に図示しない巻取ばねと、この巻取ばねによる巻取動作を任意の位置
で止める公知のラチェット機構などが備えられたものである。
【００２１】
ガイドシート５は、合成樹脂製の板から形成されたシートであり、カールする板厚が２．５ 〜３．５ｍｍに形成されている。このガイドシート５の板厚は厚過ぎても、薄過ぎてもうまくカールしないものである。このガイドシート５は、図４に示すように、ほぼロール２の周囲を囲む長さに設定されており、ロール２の表面に固着してある。巻取ケースから開放側の端部がはみ出ない長さとなっている。また、このガイドシート５の幅は、図３に示すように、スクリーン３の幅より両端のファスナー部４を除いた幅に設定されている。
【００２２】
ジョイントピース７はスクリーン３と同様な柔軟性を備えた生地で作成され、両側縁部にはファスナー部８が設けられ、隣接するスクリーン３に連結できるようになっている。このジョイントピース７の長さは自在に変えることができ、幅も自在に変更できるものである。例えば、３５００ｍｍ位である。このジョイントピース７でスクリーン３と連結する場合は、上下にファスナーを装着し、クリーンブース１２などに使用する場合に下側のファスナーを分離して出入りをし易くするものである。また、他の実施形態としてはジョイントピース７の中央部分にファスナーを取り付けて分離可能にすることができる。このような構成になっているとクリーンブース１２を形成したときにコーナーのジョイントピース７のセンターのファスナーを開放することにより内部への出入ができる。
【００２３】
このように構成されたロールスクリーン装置は、図６に示すように、巻取始めにおいては、スクリーン３とガイドシート５が重なり、ガイドシート５の厚さがファスナー部４より少し厚いので、ファスナー部４以外の部分が若干ファスナー部４より太くなる。ところが、巻終わりの状態では、図７に示すように、ファスナー部４が重なるので、ファスナー部４以外の部分が同一となるものである。そのため、巻取りの途中にてもアンバランスが発生せず、水平に巻き取ら、スムーズにスクリーン３の巻取りができるものである。従って、このロールスクリーン装置においては、故障は発生しないものである。
【００２４】
このように構成されたロールスクリーン装置を使用してクリーンブース１２を構成する場合は、図１に示すように、先ず、天井からフレーム１０を吊り下げるようにして、任意の場所に取り付ける。そして、このフレーム１０の所定の位置に巻取ケース１を取り付けるものである。フレーム１０の上には空気噴き出し口を備えたフィルター装置（図示せず）が配置されている。さらに、巻取ケース１よりスクリーン３を引き出してジョイントピース７をファスナー部４により隣接するスクリーン３に取り付けると完成する。この場合、スクリーン３の下端縁は隙間があり、内部空気が吐き出されるようになっている。
【００２５】
尚、本発明のロールスクリーン装置は、図９に示されるように種々の形態を部屋を作ることができる。上述した実施の形態に限定されるものではなく、特許請求の範囲内において様々な態様が可能なことは勿論である。
図１０においてジョイントピース７の他の実施形態を示すもので、中央部分にファスナーを配設して分離可能にしてある。このファスナーの開閉によりクリーンブース１２への出入を容易にできる。
例えば、結合手段としてファスナーに限定されるものではなく、面ファスナーなどを使用できることは勿論である。
【図面の簡単な説明】
【００２６】
【図１】図１は本発明のロールスクリーン装置を使用したクリーンブースを示す斜視図である。
【図２】図１のロールスクリーン装置の要部を示す一部破断の斜視図である。
【図３】図１のロールスクリーン装置の全体を示す一部破断の正面図である。
【図４】図３のＡ−Ａ断面図である。
【図５】図１のロールスクリーン装置の使用状態を示す斜視図である。
【図６】図１のロールスクリーン装置の巻取りの初期状態を説明する正面図である。
【図７】図１のロールスクリーン装置の巻終わり状態を説明する正面図である。
【図８】従来のロールスクリーン装置の問題点を説明する斜視図である。
【図９】本発明のロールスクリーン装置の他の実施形態の概略平面図である。
【図１０】本発明に使用するジョイントピースの他の実施形態の概略図である。
【符号の説明】
【００２７】
１      巻取ケース
１ａ    端部
１ｂ    端部
１ｃ    出入口
２      ローラ
２ａ    軸受部
２ｂ    軸受部
３      スクリーン
４      ファスナー部
４ａ    ファスナー
５      ガイドシート
６      巻取手段
７      ジョイントピース
８      ファスナー部
１０      フレーム
１１      ベース板
１２      クリーンブース
１３    ファスナー止め具
１４    ファスナー引き具
１５    ファスナー
【図１】
2006296627.tif 000003
【図２】
2006296627.tif 000004
【図３】
2006296627.tif 000005
【図４】
2006296627.tif 000006
【図５】
2006296627.tif 000007
【図６】
2006296627.tif 000008
【図７】
2006296627.tif 000009
【図８】
2006296627.tif 000010
【図９】
2006296627.tif 000011
【図１０】
2006296627.tif 000012